(57)【要約】【課題】装置本体に対する搬送ユニットの位置ずれを防ぐことで、用紙ＪＡＭや用紙スキューを抑制する。【解決手段】画像形成装置は、用紙搬送路を有する装置本体と、装置本体に引き出し可能に挿入される第１給紙カセット３と、装置本体に引き出し可能に挿入され、第１給紙カセット３から用紙搬送路に向かって用紙を搬送する搬送ユニット５と、装置本体からの搬送ユニット５の引き出しを規制するロック位置と、装置本体からの搬送ユニット５の引き出しを許容するロック解除位置と、の間で変位可能なロック部材５１と、を備え、ロック部材５１がロック位置にある状態では、第１給紙カセット３とロック部材５１が干渉せずに、第１給紙カセット３の装置本体への挿入が許容され、ロック部材５１がロック解除位置にある状態では、第１給紙カセット３とロック部材５１が干渉して、第１給紙カセット３の装置本体への挿入が規制される。【選択図】図１２
2020175996.tif 000002
【特許請求の範囲】
【請求項１】
用紙搬送路を有する装置本体と、
前記装置本体に引き出し可能に挿入される第１給紙カセットと、
前記装置本体に引き出し可能に挿入され、前記第１給紙カセットから前記用紙搬送路に向かって用紙を搬送する搬送ユニットと、
前記装置本体からの前記搬送ユニットの引き出しを規制するロック位置と、前記装置本体からの前記搬送ユニットの引き出しを許容するロック解除位置と、の間で変位可能なロック部材と、を備え、
前記ロック部材が前記ロック位置にある状態では、前記第１給紙カセットと前記ロック部材が干渉せずに、前記第１給紙カセットの前記装置本体への挿入が許容され、
前記ロック部材が前記ロック解除位置にある状態では、前記第１給紙カセットと前記ロック部材が干渉して、前記第１給紙カセットの前記装置本体への挿入が規制されることを特徴とする画像形成装置。
【請求項２】
前記装置本体に引き出し可能に挿入される第２給紙カセットと、
前記第２給紙カセットと干渉せずに前記第２給紙カセットの前記装置本体への挿入を許容する許容位置と、前記第２給紙カセットと干渉して前記第２給紙カセットの前記装置本体への挿入を規制する規制位置と、の間で変位可能なストッパーと、を更に備え、
前記ロック部材が前記ロック位置にある状態では、前記ストッパーが前記許容位置にあり、前記ロック部材が前記ロック解除位置にある状態では、前記ストッパーが前記規制位置にあることを特徴とする請求項１に記載の画像形成装置。
【請求項３】
前記ロック部材は、前記ロック位置と前記ロック解除位置の間で回転可能に設けられ、
前記ストッパーは、前記許容位置と前記規制位置の間で直線的に移動可能に設けられ、
前記ロック部材が前記ロック解除位置から前記ロック位置まで回転すると、前記ロック部材が前記ストッパーを押圧して、前記ストッパーが前記規制位置から前記許容位置まで直線的に移動することを特徴とする請求項２に記載の画像形成装置。
【請求項４】
前記ストッパーを前記規制位置に付勢する付勢部材を更に備え、
前記ロック部材が前記ロック位置から前記ロック解除位置まで回転すると、前記付勢部材の付勢力によって、前記ストッパーが前記許容位置から前記規制位置まで直線的に移動することを特徴とする請求項３に記載の画像形成装置。
【請求項５】
前記ロック部材及び前記ストッパーは、前記搬送ユニットに取り付けられていることを特徴とする請求項２〜４のいずれか１項に記載の画像形成装置。
【請求項６】
前記ロック部材は、
前記装置本体への前記搬送ユニットの挿入方向に沿って延びる軸部と、
前記軸部の前記挿入方向上流側の端部から前記軸部の径方向に延びるレバー部と、
前記軸部の前記挿入方向下流側の端部から前記軸部の径方向に延びる係合部と、を備え、
前記ロック部材が前記ロック位置にある状態では、前記係合部が前記装置本体の側板に係合して、前記装置本体からの前記搬送ユニットの引き出しが規制され、
前記ロック部材が前記ロック解除位置にある状態では、前記係合部と前記装置本体の前記側板の係合が解除されて、前記装置本体からの前記搬送ユニットの引き出しが許容されることを特徴とする請求項１〜５のいずれか１項に記載の画像形成装置。
【請求項７】
前記第１給紙カセットの内面には、リブが突出しており、
前記ロック部材が前記ロック解除位置にある状態では、前記リブと前記レバー部が干渉して、前記第１給紙カセットの前記装置本体への挿入が規制されることを特徴とする請求項６に記載の画像形成装置。
【請求項８】
前記搬送ユニットは、用紙を水平方向に搬送する水平搬送機構を備えていることを特徴とする請求項１〜７のいずれか１項に記載の画像形成装置。
【発明の詳細な説明】
【技術分野】
【０００１】
本発明は、画像形成装置に関する。
【背景技術】
【０００２】
従来、画像形成装置は、用紙搬送路を有する装置本体と、用紙を収容する給紙カセットと、給紙カセットから用紙搬送路に向かって用紙を搬送する搬送ユニットと、を備えている。上記の搬送ユニットは、ＪＡＭ処理作業（詰まった用紙を取り除く作業）の容易性等を考慮し、画像形成装置の装置本体から引き出し可能に設けられていることがある（特許文献１参照）。
【先行技術文献】
【特許文献】
【０００３】
【特許文献１】特開２００８−１２７１８１号公報
【発明の概要】
【発明が解決しようとする課題】
【０００４】
上記のような画像形成装置において、装置本体に対して搬送ユニットがロックされていない状態（装置本体からの搬送ユニットの引き出しが許容された状態）で用紙搬送動作が実行されると、装置本体に対する搬送ユニットの位置がずれる恐れがある。このように装置本体に対する搬送ユニットの位置がずれると、搬送ユニットによる用紙の搬送位置もずれてしまい、用紙ＪＡＭ（用紙の詰まり）や用紙スキュー（用紙の斜行）につながる恐れがある。
【０００５】
そこで、本発明は、装置本体に対する搬送ユニットの位置ずれを防ぐことで、用紙ＪＡＭや用紙スキューを抑制することを目的とする。
【課題を解決するための手段】
【０００６】
画像形成装置は、用紙搬送路を有する装置本体と、前記装置本体に引き出し可能に挿入される第１給紙カセットと、前記装置本体に引き出し可能に挿入され、前記第１給紙カセットから前記用紙搬送路に向かって用紙を搬送する搬送ユニットと、前記装置本体からの前記搬送ユニットの引き出しを規制するロック位置と、前記装置本体からの前記搬送ユニットの引き出しを許容するロック解除位置と、の間で変位可能なロック部材と、を備え、前記ロック部材が前記ロック位置にある状態では、前記第１給紙カセットと前記ロック部材が干渉せずに、前記第１給紙カセットの前記装置本体への挿入が許容され、前記ロック部材が前記ロック解除位置にある状態では、前記第１給紙カセットと前記ロック部材が干渉して、前記第１給紙カセットの前記装置本体への挿入が規制される。
【０００７】
前記画像形成装置は、前記装置本体に引き出し可能に挿入される第２給紙カセットと、前記第２給紙カセットと干渉せずに前記第２給紙カセットの前記装置本体への挿入を許容する許容位置と、前記第２給紙カセットと干渉して前記第２給紙カセットの前記装置本体への挿入を規制する規制位置と、の間で変位可能なストッパーと、を更に備え、前記ロック部材が前記ロック位置にある状態では、前記ストッパーが前記許容位置にあり、前記ロック部材が前記ロック解除位置にある状態では、前記ストッパーが前記規制位置にあっても良い。
【０００８】
前記ロック部材は、前記ロック位置と前記ロック解除位置の間で回転可能に設けられ、前記ストッパーは、前記許容位置と前記規制位置の間で直線的に移動可能に設けられ、前記ロック部材が前記ロック解除位置から前記ロック位置まで回転すると、前記ロック部材が前記ストッパーを押圧して、前記ストッパーが前記規制位置から前記許容位置まで直線的に移動しても良い。
【０００９】
前記画像形成装置は、前記ストッパーを前記規制位置に付勢する付勢部材を更に備え、前記ロック部材が前記ロック位置から前記ロック解除位置まで回転すると、前記付勢部材の付勢力によって、前記ストッパーが前記許容位置から前記規制位置まで直線的に移動しても良い。
【００１０】
前記ロック部材及び前記ストッパーは、前記搬送ユニットに取り付けられていても良い。
【００１１】
前記ロック部材は、前記装置本体への前記搬送ユニットの挿入方向に沿って延びる軸部と、前記軸部の前記挿入方向上流側の端部から前記軸部の径方向に延びるレバー部と、前記軸部の前記挿入方向下流側の端部から前記軸部の径方向に延びる係合部と、を備え、前記ロック部材が前記ロック位置にある状態では、前記係合部が前記装置本体の側板に係合して、前記装置本体からの前記搬送ユニットの引き出しが規制され、前記ロック部材が前記ロック解除位置にある状態では、前記係合部と前記装置本体の前記側板の係合が解除されて、前記装置本体からの前記搬送ユニットの引き出しが許容されても良い。
【００１２】
前記第１給紙カセットの内面には、リブが突出しており、前記ロック部材が前記ロック解除位置にある状態では、前記リブと前記レバー部が干渉して、前記第１給紙カセットの前記装置本体への挿入が規制されても良い。
【００１３】
前記搬送ユニットは、用紙を水平方向に搬送する水平搬送機構を備えていても良い。
【発明の効果】
【００１４】
本発明によれば、装置本体に対する搬送ユニットの位置ずれを防ぐことで、用紙ＪＡＭや用紙スキューを抑制することができる。
【図面の簡単な説明】
【００１５】
【図１】本発明の一実施形態に係る画像形成装置を示す模式的な正面図である。
【図２】本発明の一実施形態に係る画像形成装置を示す斜視図である。
【図３】本発明の一実施形態に係る画像形成装置において、第１、第２給紙カセット及び搬送ユニットが装置本体から引き出された状態を示す斜視図である。
【図４】本発明の一実施形態に係る第１給紙カセットを示す斜視図である。
【図５】本発明の一実施形態に係る第２給紙カセットを示す斜視図である。
【図６】本発明の一実施形態に係る搬送ユニットとロック部材を示す断面図である。
【図７】本発明の一実施形態に係る搬送ユニットとロック部材を示す斜視図である。
【図８】本発明の一実施形態に係る画像形成装置において、ロック部材がロック位置にあり、ストッパーが許容位置にある状態を示す正面図である。
【図９】本発明の一実施形態に係る画像形成装置において、ロック部材がロック解除位置にあり、ストッパーが規制位置にある状態を示す正面図である。
【図１０】本発明の一実施形態に係る画像形成装置において、ロック部材がロック位置にある状態を示す平面図である。
【図１１】本発明の一実施形態に係る画像形成装置において、ロック部材がロック解除位置にある状態を示す平面図である。
【図１２】本発明の一実施形態に係る画像形成装置において、第１給紙カセットの第１リブとロック部材のレバー部が干渉している状態を示す斜視図である。
【図１３】本発明の一実施形態に係る画像形成装置において、第２給紙カセットの第２リブとストッパーのボス部が干渉している状態を示す斜視図である。
【発明を実施するための形態】
【００１６】
以下、図面を参照しつつ、本発明の一実施形態に係る画像形成装置１について説明する。以下、説明の便宜上、図１における紙面手前側を画像形成装置１の前側とする。各図に適宜付される矢印Ｌ、Ｒ、Ｕ、Ｌｏ、Ｆｒ、Ｒｒは、それぞれ画像形成装置１の左側、右側、上側、下側、前側、後側を示している。
【００１７】
まず、画像形成装置１の全体の構成について説明する。
【００１８】
図１を参照して、画像形成装置１は、例えば、インクジェット方式のカラープリンターである。画像形成装置１は、箱型の装置本体２を備えている。
【００１９】
装置本体２の下端部には、第１給紙カセット３と第２給紙カセット４が左右方向に並んでいる。第１給紙カセット３と第２給紙カセット４は、それぞれ用紙Ｓを収納している。装置本体２の下部には、第１給紙カセット３と第２給紙カセット４の上方に、搬送ユニット５が設けられている。
【００２０】
装置本体２の下部には、搬送ユニット５の上方に、第３給紙カセット６と第４給紙カセット７が上下方向に並んでいる。第３給紙カセット６と第４給紙カセット７は、それぞれ用紙Ｓを収納している。装置本体２の下部には、第３給紙カセット６と第４給紙カセット７の右方に、それぞれ給紙ユニット８が設けられている。
【００２１】
装置本体２の上部には、画像形成部１０が設けられている。画像形成部１０は、搬送ベルト１１と４個の記録ヘッド１２を備えている。各記録ヘッド１２は、それぞれ、ブラック、シアン、マゼンタ、イエローのインクを吐出可能に設けられている。装置本体２の上部には、画像形成部１０の左方に、排紙ユニット１３が設けられている。
【００２２】
装置本体２の内部には、用紙搬送路１４が設けられている。用紙搬送路１４の上流端部は、搬送ユニット５及び各給紙ユニット８に接続されている。用紙搬送路１４の中流部は、画像形成部１０を通過している。用紙搬送路１４の下流端部は、排紙ユニット１３に接続されている。
【００２３】
次に、画像形成装置１の全体の動作について説明する。
【００２４】
まず、搬送ユニット５によって第１給紙カセット３又は第２給紙カセット４から用紙Ｓが取り出されるか、又は、どちらかの給紙ユニット８によって第３給紙カセット６又は第４給紙カセット７から用紙Ｓが取り出される。このようにしていずれかの給紙カセット３、４、６、７から取り出された用紙Ｓは、用紙搬送路１４を下流側へと搬送されて画像形成部１０に進入し、搬送ベルト１１の上面に吸着される。各記録ヘッド１２は、搬送ベルト１１の上面に吸着された用紙Ｓに対して、インクを吐出する。これにより、用紙Ｓに画像が形成される。画像が形成された用紙Ｓは、用紙搬送路１４を更に下流側へと搬送され、排紙ユニット１３によって装置本体２の外部に排出される。
【００２５】
次に、第１給紙カセット３について説明する。
【００２６】
図２〜図４を参照して、第１給紙カセット３は、上方に向かって開放された箱型を成している。第１給紙カセット３の内部には、昇降可能な第１リフト板１６が収容されている。第１リフト板１６には、用紙Ｓ（図２〜図４では図示せず）が載置されている。
【００２７】
第１給紙カセット３の左側壁３ａと右側壁（図示せず）の下部には、前後方向に沿って延びる第１係合突起１７が設けられている。第１係合突起１７は、装置本体２に設けられた第１ガイドレール（図示せず）に係合している。これにより、第１給紙カセット３は、装置本体２に挿入された位置（図２参照）と装置本体２から引き出された位置（図３参照）との間で前後方向に沿って移動可能となっている。つまり、第１給紙カセット３は、装置本体２に引き出し可能に挿入されている。
【００２８】
第１給紙カセット３の前壁３ｂの前面（外面）の左上部には、第１取手部１８が設けられている。第１給紙カセット３の前壁３ｂの後面（内面）の上部中央には、第１リブ１９が突出している。第１リブ１９は、左右方向に延びる上下一対の延出板２０と、上下方向に延びて上下一対の延出板２０を連結する連結板２１と、を備えている。
【００２９】
次に、第２給紙カセット４について説明する。
【００３０】
図２、図３、図５を参照して、第２給紙カセット４は、第１給紙カセット３の左側（左右方向一方側）に、第１給紙カセット３と隣接して設けられている。第２給紙カセット４は、上方に向かって開放された箱型を成している。第２給紙カセット４の内部には、昇降可能な第２リフト板２３が収容されている。第２リフト板２３には、用紙Ｓ（図２、図３、図５では図示せず）が載置されている。
【００３１】
第２給紙カセット４の左側壁４ａと右側壁（図示せず）の下部には、前後方向に沿って延びる第２係合突起２４が設けられている。第２係合突起２４は、装置本体２に設けられた第２ガイドレール（図示せず）に係合している。これにより、第２給紙カセット４は、装置本体２に挿入された位置（図２参照）と装置本体２から引き出された位置（図３参照）との間で前後方向に沿って移動可能となっている。つまり、第２給紙カセット４は、装置本体２に引き出し可能に挿入されている。
【００３２】
第２給紙カセット４の前壁４ｂの前面（外面）の右上部には、第２取手部２５が設けられている。第２給紙カセット４の前壁４ｂの後面（内面）の右上部には、台座部２６が突出している。台座部２６の後面（内面）の上部には、第２リブ２７が突出している。第２リブ２７は、上下方向に延びる左右一対の延出部２８と、左右方向に延びて左右一対の延出部２８を連結する連結部２９と、を備えている。
【００３３】
次に、搬送ユニット５について説明する。
【００３４】
図３を参照して、搬送ユニット５は、左右方向及び前後方向に長い偏平形状を成している。搬送ユニット５には、前後方向に沿って延びる係合突起（図示せず）が設けられている。係合突起は、装置本体２に設けられたガイドレール（図示せず）に係合している。これにより、搬送ユニット５は、装置本体２に挿入された位置（図３の二点鎖線参照）と装置本体２から引き出された位置（図３の実線参照）との間で、前後方向に沿って移動可能となっている。つまり、搬送ユニット５は、装置本体２に引き出し可能に挿入されている。
【００３５】
なお、各図に適宜付される矢印Ｘは、装置本体２への搬送ユニット５の挿入方向（以下、「挿入方向Ｘ」と称する）を示している。挿入方向Ｘは、前後方向に沿って前側から後側に向かう方向であり、上下方向及び左右方向と直交している。挿入方向Ｘは、装置本体２への第１、第２給紙カセット３、４の挿入方向と一致している。以下、「挿入方向上流側」又は「挿入方向下流側」と記載する場合には、挿入方向Ｘにおける「上流側」又は「下流側」を示す。
【００３６】
図６、図７を参照して、搬送ユニット５は、前後一対のフレーム３１、３２と、前後一対のフレーム３１、３２の間に配置される第１、第２給紙機構３３、３４及び水平搬送機構３５と、を備えている。
【００３７】
搬送ユニット５の各フレーム３１、３２は、左右方向に沿って延びている。前側のフレーム３１は、フレームカバー３７によって前側（挿入方向上流側）から覆われている。なお、フレームカバー３７は、図８、図９では表示が省略されている。図８、図９を参照して、前側のフレーム３１の前面（外面）の左右方向中央部には、フレーム側取付部３８が前側に向かって突出している。
【００３８】
図６を参照して、搬送ユニット５の第１給紙機構３３は、第１給紙カセット３の右上方に設けられている。第１給紙機構３３は、ピックアップローラー４０と、ピックアップローラー４０の右方に配置されるフィードローラー４１及びリタードローラー４２と、フィードローラー４１及びリタードローラー４２の右方に配置される上下一対の補助搬送ローラー４３と、を備えている。フィードローラー４１とリタードローラー４２は、互いに接触している。リタードローラー４２には、トルクリミッター（図示せず）が収容されている。上下一対の補助搬送ローラー４３は、互いに接触している。
【００３９】
搬送ユニット５の第２給紙機構３４は、第２給紙カセット４の右上方に設けられている。第２給紙機構３４の構成は、第１給紙機構３３の構成と同様であるため、説明を省略する。
【００４０】
図６、図７を参照して、搬送ユニット５の水平搬送機構３５は、下側搬送ガイド４５と、下側搬送ガイド４５の上方に配置される上側搬送ガイド４６と、を備えている。下側搬送ガイド４５と上側搬送ガイド４６の間には、水平搬送路４７が形成されている。なお、上側搬送ガイド４６は、図３では表示が省略されている。
【００４１】
図６を参照して、水平搬送機構３５の下側搬送ガイド４５は、左右方向に沿って延びている。下側搬送ガイド４５には、左右一対の下側搬送ローラー４８が設けられている。
【００４２】
図６、図７を参照して、水平搬送機構３５の上側搬送ガイド４６は、左右方向に沿って延びている。上側搬送ガイド４６は、水平搬送路４７を開放する開放位置（図７の二点鎖線参照）と、水平搬送路４７を閉止する閉止位置（図７の実線参照）との間で、下側搬送ガイド４５に対して回転可能となっている。上側搬送ガイド４６には、左右一対の上側搬送ローラー４９が設けられている。各上側搬送ローラー４９は、上側搬送ガイド４６が閉止位置（図７の実線参照）にある状態で、下側搬送ガイド４５の各下側搬送ローラー４８と接触している。
【００４３】
図７〜図９を参照して、上記のように構成された搬送ユニット５には、ロック部材５１と、ストッパー５２と、コイルバネ５３（付勢部材の一例）と、が取り付けられている。以下、これらの部材について順番に説明する。
【００４４】
まず、ロック部材５１について説明する。
【００４５】
図７〜図１１を参照して、ロック部材５１は、搬送ユニット５に対する前後方向の移動が規制されている。そのため、ロック部材５１は、搬送ユニット５と一体的に前後方向に移動可能である。
【００４６】
ロック部材５１は、挿入方向Ｘに沿って直線状に延びる軸部５５と、軸部５５の前端部（挿入方向上流側の端部）から軸部５５の径方向に延びるレバー部５６と、軸部５５の前部から軸部５５の径方向に延びる押圧部５７と、軸部５５の後端部（挿入方向下流側の端部）から軸部５５の径方向に延びる係合部５８と、を備えている。なお、押圧部５７は、図７では表示が省略されている。
【００４７】
ロック部材５１の軸部５５は、搬送ユニット５の前後一対のフレーム３１、３２に回転可能に取り付けられている。これにより、ロック部材５１は、ロック位置（図８、図１０参照）とロック解除位置（図９、図１１参照）の間で軸部５５を中心に回転可能となっている。
【００４８】
ロック部材５１のレバー部５６は、搬送ユニット５の前側のフレーム３１よりも前側（挿入方向上流側）に位置している。レバー部５６は、軸部５５とは別体に設けられており、軸部５５に固定されている。
【００４９】
ロック部材５１の押圧部５７は、搬送ユニット５の前側のフレーム３１よりも前側（挿入方向上流側）に位置している。押圧部５７は、軸部５５とは別体に設けられており、軸部５５に固定されている。押圧部５７は、レバー部５６の後側（挿入方向下流側）に、レバー部５６とは間隔をおいて設けられている。押圧部５７は、軸部５５に対してレバー部５６と同じ側に突出している。押圧部５７の先端部５７ａ（軸部５５から離間する側の端部）は、円弧状に湾曲している。
【００５０】
ロック部材５１の係合部５８は、搬送ユニット５の後側のフレーム３２よりも後側（挿入方向下流側）に位置している。係合部５８は、軸部５５と一体に設けられている。係合部５８は、軸部５５に対してレバー部５６と逆側に突出している。
【００５１】
次に、ストッパー５２について説明する。
【００５２】
図８、図９を参照して、ストッパー５２は、搬送ユニット５の前側のフレーム３１よりも前側（挿入方向上流側）に位置している。ストッパー５２は、ロック部材５１の左側（左右方向一方側）に、ロック部材５１と隣接して設けられている。
【００５３】
ストッパー５２は、左右方向に沿って直線状に延びるプレート部６１と、プレート部６１の左端部から前側（挿入方向上流側）に延びるボス部６２と、を備えている。
【００５４】
ストッパー５２のプレート部６１の右側部と左右方向中央部には、それぞれ長穴６４が設けられている。各長穴６４は、左右方向に長い形状を成している。各長穴６４には、搬送ユニット５の前側のフレーム３１に取り付けられた左右一対のビス６５が貫通している。即ち、プレート部６１は、左右一対のビス６５を介して搬送ユニット５の前側のフレーム３１に取り付けられている。これにより、ストッパー５２は、許容位置（図８参照）と規制位置（図９参照）の間で左右方向に沿って直線的に移動可能となっている。プレート部６１の左側部には、ストッパー側取付部６６が上側に向かって突出している。
【００５５】
次に、コイルバネ５３について説明する。
【００５６】
図８、図９を参照して、コイルバネ５３は、搬送ユニット５の前側のフレーム３１よりも前側（挿入方向上流側）に位置している。コイルバネ５３は、左右方向に沿って延びている。コイルバネ５３の右端部は、搬送ユニット５の前側のフレーム３１のフレーム側取付部３８に取り付けられている。コイルバネ５３の左端部は、ストッパー５２のプレート部６１のストッパー側取付部６６に取り付けられている。このように、コイルバネ５３は、搬送ユニット５の前側のフレーム３１とストッパー５２のプレート部６１の間に介装されている。コイルバネ５３は、ストッパー５２を規制位置（図９参照）に付勢している。
【００５７】
次に、搬送ユニット５によって第１、第２給紙カセット３、４から用紙搬送路１４に向かって用紙Ｓを搬送する動作（以下、「用紙搬送動作」と称する）について説明する。
【００５８】
第１給紙カセット３から用紙搬送路１４に向かって用紙Ｓを搬送する場合には、第１給紙機構３３のピックアップローラー４０によって第１給紙カセット３から用紙Ｓを取り出す。第１給紙カセット３から取り出された用紙Ｓは、第１給紙機構３３のフィードローラー４１、リタードローラー４２及び各補助搬送ローラー４３によって水平方向と傾斜する方向に搬送され、用紙搬送路１４に送り出される。
【００５９】
一方で、第２給紙カセット４から用紙搬送路１４に向かって用紙Ｓを搬送する場合には、第２給紙機構３４のピックアップローラー４０によって第２給紙カセット４から用紙Ｓを取り出す。第２給紙カセット４から取り出された用紙Ｓは、第２給紙機構３４のフィードローラー４１、リタードローラー４２及び各補助搬送ローラー４３によって水平方向と傾斜する方向に搬送され、水平搬送機構３５の水平搬送路４７に送り出される。水平搬送機構３５の水平搬送路４７に送り出された用紙Ｓは、水平搬送機構３５の各下側搬送ローラー４８及び各上側搬送ローラー４９によって水平方向に搬送され、用紙搬送路１４に送り出される。
【００６０】
次に、水平搬送機構３５の水平搬送路４７で詰まった用紙Ｓを取り除く作業（以下、「ＪＡＭ処理作業」と称する）について説明する。
【００６１】
まず、作業者は、第１、第２給紙カセット３、４を装置本体２から引き出す。次に、作業者は、ロック部材５１のレバー部５６を操作し、ロック部材５１をロック位置（図８、図１０参照）からロック解除位置（図９、図１１参照）まで回転させる。これに伴って、ロック部材５１の係合部５８と装置本体２の側板２ａ（図１０、図１１参照）の係合が解除されて、装置本体２からの搬送ユニット５の引き出しが許容される。なお、上記のようにロック部材５１がロック位置（図８、図１０参照）からロック解除位置（図９、図１１参照）まで回転すると、コイルバネ５３の付勢力によって、ストッパー５２が許容位置（図８参照）から規制位置（図９参照）まで直線的に移動する。
【００６２】
次に、作業者は、装置本体２から搬送ユニット５を引き出して、水平搬送機構３５の上側搬送ガイド４６を閉止位置（図７の実線参照）から開放位置（図７の二点鎖線参照）まで回転させる。これにより、水平搬送機構３５の水平搬送路４７が開放される。次に、作業者は、水平搬送機構３５の水平搬送路４７で詰まった用紙Ｓを取り除く。
【００６３】
次に、作業者は、水平搬送機構３５の上側搬送ガイド４６を開放位置（図７の二点鎖線参照）から閉止位置（図７の実線参照）まで回転させ、装置本体２に搬送ユニット５を挿入する。次に、作業者は、ロック部材５１のレバー部５６を操作し、ロック部材５１をロック解除位置（図９、図１１参照）からロック位置（図８、図１０参照）まで回転させる。これに伴って、ロック部材５１の係合部５８が装置本体２の側板２ａ（図１０、図１１参照）に係合して、装置本体２からの搬送ユニット５の引き出しが規制される。なお、上記のようにロック部材５１がロック解除位置（図９、図１１参照）からロック位置（図８、図１０参照）まで回転すると、ロック部材５１の押圧部５７の先端部５７ａがストッパー５２のプレート部６１の右端部を左側に押圧する。これにより、コイルバネ５３の付勢力に抗して、ストッパー５２が規制位置（図９参照）から許容位置（図８参照）まで直線的に移動する。
【００６４】
最後に、作業者は、第１、第２給紙カセット３、４を装置本体２に挿入する。これにより、ＪＡＭ処理作業が完了する。
【００６５】
ところで、上記のような画像形成装置１において、ロック部材５１がロック解除位置（図９、図１１参照）にある状態で用紙搬送動作が実行されると、装置本体２に対する搬送ユニット５の位置がずれる恐れがある。このように装置本体２に対する搬送ユニット５の位置がずれると、搬送ユニット５による用紙Ｓの搬送位置もずれてしまい、用紙ＪＡＭ（用紙Ｓの詰まり）や用紙スキュー（用紙Ｓの斜行）につながる恐れがある。そこで、本実施形態では以下のようにして、ロック部材５１がロック解除位置（図９、図１１参照）にある状態で用紙搬送動作が実行されるのを抑制している。
【００６６】
図１２に二点鎖線で示されるように、ロック部材５１がロック位置にある状態では、第１給紙カセット３の第１リブ１９とロック部材５１のレバー部５６が干渉せずに、第１給紙カセット３の装置本体２への挿入が許容される。そのため、第１給紙カセット３を装置本体２に挿入し、用紙搬送動作を実行することができる。
【００６７】
一方で、図１２に実線で示されるように、ロック部材５１がロック解除位置にある状態では、第１給紙カセット３の第１リブ１９とロック部材５１のレバー部５６が干渉して、第１給紙カセット３の装置本体２への挿入が規制される。そのため、第１給紙カセット３を装置本体２に挿入することはできず、用紙搬送動作を実行することもできない。
【００６８】
以上のように、本実施形態では、ロック部材５１がロック解除位置にある状態では、第１給紙カセット３が装置本体２に挿入されるのを規制することで、用紙搬送動作が実行されるのを抑制している。そのため、装置本体２に対する搬送ユニット５の位置ずれを防ぐことができ、上記の位置ずれに伴う用紙ＪＡＭや用紙スキューを抑制することができる。
【００６９】
また、上記のような構成を採用することで、破損しやすい電気部品（例えば、センサーやスイッチ）を用いることなく、ロック部材５１がロック解除位置にある状態で用紙搬送動作が実行されるのを抑制することができる。そのため、部品交換のために必要なコストや労力を削減することができる。
【００７０】
また、図１３に二点鎖線で示されるように、ロック部材５１がロック位置にある状態では、ストッパー５２が許容位置にあるため、第２給紙カセット４の第２リブ２７とストッパー５２のボス部６２が干渉せずに、第２給紙カセット４の装置本体２への挿入が許容される。そのため、第２給紙カセット４を装置本体２に挿入し、用紙搬送動作を実行することができる。
【００７１】
一方で、図１３に実線で示されるように、ロック部材５１がロック解除位置にある状態では、ストッパー５２が規制位置にあるため、第２給紙カセット４の第２リブ２７とストッパー５２のボス部６２が干渉して、第２給紙カセット４の装置本体２への挿入が規制される。そのため、第２給紙カセット４を装置本体２に挿入することはできず、用紙搬送動作を実行することもできない。
【００７２】
以上のように、本実施形態では、ロック部材５１がロック解除位置にある状態では、第２給紙カセット４が装置本体２に挿入されるのを規制することで、用紙搬送動作が実行されるのを抑制している。そのため、装置本体２に対する搬送ユニット５の位置ずれを一層確実に防ぐことができ、上記の位置ずれに伴う用紙ＪＡＭや用紙スキューを一層確実に抑制することができる。
【００７３】
また、ロック部材５１がロック解除位置からロック位置まで回転すると、ロック部材５１がストッパー５２を押圧して、ストッパー５２が規制位置から許容位置まで直線的に移動している。このような構成を採用することで、簡易な構成を用いて、ストッパー５２を規制位置から許容位置まで確実に移動させることができる。
【００７４】
また、ロック部材５１がロック位置からロック解除位置まで回転すると、コイルバネ５３の付勢力によって、ストッパー５２が許容位置から規制位置まで直線的に移動している。このような構成を採用することで、ロック部材５１がロック位置からロック解除位置まで回転するのに伴って、ストッパー５２を許容位置から規制位置まで確実に移動させることができる。そのため、ロック部材５１がロック解除位置にある状態で用紙搬送動作が実行されるのを一層確実に抑制することができる。
【００７５】
また、ロック部材５１及びストッパー５２は、搬送ユニット５に取り付けられている。このような構成を採用することで、ロック部材５１及びストッパー５２を搬送ユニット５と共に装置本体２から引き出すことができるため、ロック部材５１及びストッパー５２のメンテナンス性を高めることができる。
【００７６】
また、ロック部材５１がロック位置にある状態では、ロック部材５１の係合部５８が装置本体２の側板２ａに係合して、装置本体２からの搬送ユニット５の引き出しが規制されている。このような構成を採用することで、簡易な構成を用いて、装置本体２からの搬送ユニット５の引き出しを確実に規制することができる。
【００７７】
また、ロック部材５１がロック解除位置にある状態では、第１給紙カセット３の第１リブ１９とロック部材５１のレバー部５６が干渉して、第１給紙カセット３の装置本体２への挿入が規制されている。このような構成を採用することで、作業者によって操作される部分であるレバー部５６を、第１給紙カセット３と干渉する部分として併用することができる。そのため、ロック部材５１の構成の複雑化を抑制することができる。
【００７８】
また、搬送ユニット５は、用紙Ｓを水平方向に搬送する水平搬送機構３５を備えている。このような構成を採用することで、左右方向に並んだ第１、第２給紙カセット３、４からの給紙を、１つの搬送ユニット５を用いて実現することができる。
【００７９】
本実施形態では、ロック部材５１は、ロック位置とロック解除位置の間で回転可能に設けられている。一方で、他の異なる実施形態では、ロック部材５１は、ロック位置とロック解除位置の間で直線的に移動可能に設けられていても良い。
【００８０】
本実施形態では、ストッパー５２は、許容位置と規制位置の間で直線的に移動可能に設けられている。一方で、他の異なる実施形態では、ストッパー５２は、許容位置と規制位置の間で回転可能に設けられていても良い。
【００８１】
本実施形態では、ロック部材５１及びストッパー５２は、搬送ユニット５に取り付けられている。一方で、他の異なる実施形態では、ロック部材５１及びストッパー５２は、装置本体２や第１、第２給紙カセット３、４に取り付けられていても良い。
【００８２】
本実施形態では、搬送ユニット５が第１、第２給紙機構３３、３４と水平搬送機構３５を備えている。一方で、他の異なる実施形態では、搬送ユニット５が１個又は複数個の給紙機構のみを備えていても良い。
【００８３】
本実施形態では、画像形成装置１が複数個の給紙カセット３、４、６、７を備えている。一方で、他の異なる実施形態では、画像形成装置１が給紙カセットを１個だけ備えていても良い。
【００８４】
本実施形態では、画像形成装置１がカラープリンターである。一方で、他の異なる実施形態では、画像形成装置１がモノクロプリンター、コピー機、ファクシミリ、複合機（プリント機能、コピー機能及びファックス機能等を複合的に備えた機器）等であっても良い。
【００８５】
本実施形態では、画像形成装置１がインクジェット方式を採用している。一方で、他の異なる実施形態では、画像形成装置１が電子写真方式を採用していても良い。
【符号の説明】
【００８６】
１  画像形成装置
２  装置本体
３  第１給紙カセット
４  第２給紙カセット
５  搬送ユニット
１４  用紙搬送路
１９  第１リブ
３５  水平搬送機構
５１  ロック部材
５２  ストッパー
５３  コイルバネ（付勢部材の一例）
５５  軸部
５６  レバー部
５８  係合部
【図１】
2020175996.tif 000003
【図２】
2020175996.tif 000004
【図３】
2020175996.tif 000005
【図４】
2020175996.tif 000006
【図５】
2020175996.tif 000007
【図６】
2020175996.tif 000008
【図７】
2020175996.tif 000009
【図８】
2020175996.tif 000010
【図９】
2020175996.tif 000011
【図１０】
2020175996.tif 000012
【図１１】
2020175996.tif 000013
【図１２】
2020175996.tif 000014
【図１３】
2020175996.tif 000015